(57)【要約】      （修正有）【課題】照明機能を備えたクリップ構造を提供する。【解決手段】1個のものを挟むのに用いるクランプ10と、クランプ上にピボット設置されたランプホルダ12とを有し、該ランプホルダが発光コンポーネント、ランプホルダ内に設置されたコード巻き取りユニット、ランプホルダ上にはめ込むことができる電源プラグを有し、電源プラグ、コード巻き取りユニットが自動的に巻き取ることができる導線45を有し、かつ導線45のもう一端がともにランプホルダ12の発光コンポーネントに接続され、電源プラグが電源コンセントに差し込まれるときに用いられ、クリップはランプホルダの発光コンポーネントを利用して光源を提供することができ、照明の目的を達することを特徴とする。また、使用者の需要に応じて電源プラグと導線がランプホルダ内にはめ込まれおよび巻き取られ、操作と回収がしやすいという便利さを有している。【選択図】図３
0003139156.tif 000002
【実用新案登録請求の範囲】
【請求項１】
クランプと、ランプホルダと、コード巻取りユニットと、電源プラグとを含む照明機能を備えたクリップ構造であって、
前記クランプは、2個の向き合ったクランプカバーからなり、当該2個のクランプカバーが中段部に並んで向き合いピボット結合し、かつ2個のクランプカバーが1個の向き合った端部開口部を形成し、かつピボット接続軸線を超えたホルダが、クランプカバーの両側に、下向きに伸びたアームを形成させ、また2個のクランプカバーの上段部に1個のリターンスプリングを設置し、2個のクランプカバーがピボット接続軸線の下段部で自然に合わさる状態を形成し、
前記ランプホルダは、クランプのホルダ内にピボット取り付けされ、2個の向き合ってふたをするシェルカバーを有し、2個のシェルカバーが一端の内側に、共同で差込み孔を構成することができるくぼみ状のはめ込みスロットを有し、また2個のシェルカバーのはめ込みスロットと異なる側の端部に、回路ウェーハを利用して1個または複数個の発光コンポーネントを設置し、さらにそのうち1個のシェルカバーが対応する発光コンポーネントの箇所で、スルーホールを形成し、ランプシェードをはめ込めるようになっており、
前記コード巻取りユニットは、ランプホルダにピボット取り付けされ、1個のドラムを含み、さらにドラム内に渦巻きスプリングが設置され、当該渦巻きスプリング両端がそれぞれドラムとランプホルダ上にはめ込まれ、それによってドラムが回転させられた後、回復のためのプレストレスを生じることができ、
電源プラグは、前記ランプホルダのはめ込みスロットに向き合ってはめ込まれまたは分離されることができ、電流を送る導線を有し、かつ導線の一端がランプホルダの回路ウェーハに接続され、また当該導線が前記コード巻取りユニットのドラム上に巻き取られることを特徴とする、照明機能を備えたクリップ構造。
【請求項２】
当該クランプの2個のクランプカバーのアームの中段部には、ピボット接続用のピボット軸差込み部が向き合って突き出しており、ランプホルダの2個のシェルカバーの両側壁縁に向き合ったピボットブロックが設置され、それぞれ1個のピボット軸を利用して前記クランプカバーのピボット軸差込み部から、対応するピボットブロックに向き合って突き通され、それによってランプホルダをクランプのホルダ内にピボット設置することができるようになっていることを特徴とする、請求項1に記載の照明機能を備えたクリップ構造。
【請求項３】
当該クランプの2個のクランプカバーのアーム下段部が他方のクランプカバーの表面に向き合って、それぞれ1個の軟質のライニングを設置し、それによってその摩擦力を増加し、クリップ構造がかってに抜け落ちるのを防止し、かつ挟まれているものの表面を保護する効果を有することを特徴とする、請求項1に記載の照明機能を備えたクリップ構造。
【請求項４】
当該クランプの2個のクランプカバーのアーム上に向き合ったはめ込み孔を形成し、向き合ってリターンスプリングをはめ込めるようになっていることを特徴とする、請求項1乃至請求項3のいずれか1項に記載の照明機能を備えたクリップ構造。
【請求項５】
当該ランプホルダの発光コンポーネントが低エネルギー消費の発光ダイオード（LED）から構成されることを特徴とする、請求項1に記載の照明機能を備えたクリップ構造。
【請求項６】
当該ランプホルダのシェルカバー内面がともに他方のシェルカバーに向き合って1個のシャフトロッドを突き出しており、当該シャフトロッドがコード巻き取りユニットのドラムをピボット設置できるようになっていることを特徴とする、請求項1に記載の照明機能を備えたクリップ構造。
【請求項７】
当該コード巻き取りユニットのドラム周縁には、位置限定用のラッチを形成し、またシャフトロッド上に向き合った単方向ラッチで固定できるストッパを設置し、かつコード巻き取りユニットがランプホルダシェルカバーを突き通すことができる押さえブロックを有し、当該押さえブロックがストッパを作動し、かつ復位させることができる弾性コンポーネントを有していることを特徴とする、請求項1に記載の照明機能を備えたクリップ構造。
【請求項８】
当該電源プラグが典型的なUSBプラグから構成され、電子設備のUSBジャックに設置することによって電源を提供することができるようになっていることを特徴とする、請求項1に記載の照明機能を備えたクリップ構造。
【考案の詳細な説明】
【技術分野】
【０００１】
本考案は、はさむのに用いるクリップの技術分野に係り、具体的には、使用者にものをはさむのと同時に照明機能を提供することができ、同時に携行および使用しやすいという効果を有する照明機能を備えたクリップ構造に関する。
【背景技術】
【０００２】
人々が図書を読み、楽器を演奏しまたはノートブック型コンピュータを操作して資料を整理するとき、両手は同時にメモを写し、楽譜を見、またはキーボード、マウスを操作するなどの必要が発生する。このため、使用者は同時にその他の資料を参照する必要があり、これらの文書資料を大型のクリップを利用して図書、楽譜スタンドまたはディスプレイ上に挟んでおく必要があり、それによって書籍または文書資料がかってにめくれたり滑り落ちたりすることを防止する。このため、クリップは使用者がこれらの文書資料などを固定するのを効果的に助けることができる。
【０００３】
さらに、十分な照明は視力を保護する最上の方法である。最近人々の読書およびディスプレイを見る時間はますます長くなってきている。しかし周囲環境の照明数量、位置および採光角度の影響を受けて、人々が直接注視する書面およびディスプレイ表面などは、効果的に照度の安定を確保することができず、人々はいつも読書する際の光線不足によって、視力に影響を及ぼしている。ゆえに最近国民の近視人口がますます増加しているのである。
【０００４】
一方、科学技術が絶えず進歩する状況において、自由に位置を移動することができるノートブック型コンピュータはさまざまな場面で広範に使用され、使用者の作業の便利さとすばやさを促進している。しかし現有の照明器具はノートブック型コンピュータとともに自由に移動することができないという問題によって制限を受け、さらに使用者の視力への影響を加速させている。
【０００５】
言い換えれば、クリップが付属物と共に移動することができるという特性を備えているため、クリップに照明作用を持たせることができれば、前記の図書またはノートブック型コンピュータなどがうまく安定した照明を得ることができないという問題を克服することができ、使用者の視力を保護することができるであろう。
【０００６】
このことから、本考案者は長年関連産業の開発に従事した経験によって、前記の一般使用者のクリップの照明に対する需要について深く探求し、解決の道を積極的に追求した。長年研究と発展に努力した結果、ついに照明機能を備えたクリップ構造の創作に成功し、それによって現有の移動可能式図書またはノートブック型コンピュータが安定した照明を得ることができないという不便と欠点を解決した。
【考案の開示】
【考案が解決しようとする課題】
【０００７】
本考案の主な目的は、照明機能を備えたクリップ構造を提供し、それによって使用者の視力を保護することにある。また、本考案はさらに照明機能を備えたクリップ構造を提供し、それによって巻き取りと携行を便利にし、操作と使用がしやすいという効果を達成することができた。
【課題を解決するための手段】
【０００８】
この目的のために、本考案は主に下記の技術手段によって、本考案の各目的と性能を具体的に実現した。即ち、本考案は、クランプと、ランプホルダと、コード巻取りユニットと、電源プラグとを含む照明機能を備えたクリップ構造であって、前記クランプは、2個の向き合ったクランプカバーからなり、当該2個のクランプカバーが中段部に並んで向き合いピボット結合し、かつ2個のクランプカバーが1個の向き合った端部開口部を形成し、かつピボット接続軸線を超えたホルダが、クランプカバーの両側に、下向きに伸びたアームを形成させ、また2個のクランプカバーの上段部に1個のリターンスプリングを設置し、2個のクランプカバーがピボット接続軸線の下段部で自然に合わさる状態を形成し、前記ランプホルダは、クランプのホルダ内にピボット取り付けされ、2個の向き合ってふたをするシェルカバーを有し、2個のシェルカバーが一端の内側に、共同で差込み孔を構成することができるくぼみ状のはめ込みスロットを有し、また2個のシェルカバーのはめ込みスロットと異なる側の端部に、回路ウェーハを利用して1個または複数個の発光コンポーネントを設置し、さらにそのうち1個のシェルカバーが対応する発光コンポーネントの箇所で、スルーホールを形成し、ランプシェードをはめ込めるようになっており、前記コード巻取りユニットは、ランプホルダにピボット取り付けされ、1個のドラムを含み、さらにドラム内に渦巻きスプリングが設置され、当該渦巻きスプリング両端がそれぞれドラムとランプホルダ上にはめ込まれ、それによってドラムが回転させられた後、回復のためのプレストレスを生じることができ、電源プラグは、前記ランプホルダのはめ込みスロットに向き合ってはめ込まれまたは分離されることができ、電流を送る導線を有し、かつ導線の一端がランプホルダの回路ウェーハに接続され、また当該導線が前記コード巻取りユニットのドラム上に巻き取られることを特徴とする、照明機能を備えたクリップ構造である。
【考案の効果】
【０００９】
これによって、前記技術手段を具体的に実現することを通して、本考案のクリップ構造が使用者の需要に応じて照明光源を提供し、かつ電源プラグと導線がランプホルダ内に差し込まれおよび巻き取られ、操作と回収がしやすいという便利さを有し、さらに使用者の外出携行と使用に便利であり、ゆえに製品の付加価値を増加することができ、製品の競争力と経済効果を向上させることができる。
【考案を実施するための最良の形態】
【００１０】
以下、図面及び図番号を組み合わせ、本考案の好適な実施例を挙げて詳細に説明するが、以下の記述は本考案の好適な実施例を説明するために用いたものに過ぎず、これに基づいて本考案についていかなる形式の制限を行うことも意図するものではなく、およそ本考案の実施例に精神の下、行なわれたいかなる形式の修飾または変更も依然として本考案登録請求の範囲に属するものである。
【００１１】
本考案は図書または液晶ディスプレイを挟むのに用いるクリップ構造であり、図1、2に示されたように、当該クリップ構造には1個のクランプ（10）、1個のランプホルダ(20)、1個のコード巻取りユニット（30）および1個の電源プラグ(40)を含み、そのうちコード巻き取りユニット(30)はランプホルダ(20)内に設置され、ランプホルダ（20）はクランプ(10)上にピボット設置され、電源プラグ(40)は電流を送る導線(45)を有し、かつ導線(45)はコード巻き取りユニット（30）によってランプホルダ(20)内に自動的に巻き取られる。
【００１２】
本考案の特徴的構造のよりすぐれた実施例については、図1、2および3が示すところをごらんいただきたい。クランプ（10）は2個の向き合ったクランプカバー(11)によって構成され、当該2個のクランプカバー(11)はクランプ端にランプホルダ(20)のピボット接続軸線を越えたホルダ(12)を形成し、クランプカバー(11)両側に下向きに伸びたアーム(13)を形成させている。また2個のクランプカバー(11)のアーム(13)中段部にはピボット接続用ピボット軸差込み部(14)が向き合って突き出している。さらに2個のアーム(13)下段部には他方のクランプカバー(11)の表面に向き合ってそれぞれ1個の軟質のライニング(15)が設置され、ライニング(15)はその摩擦力を増加させ、クリップ構造がかってに抜け落ちるのを防止することができ、かつ、挟まれたものの表面を保護する効果を有する。また2個のクランプカバー(11)は両側のアーム(13)のランプホルダ（20）ピボット接続軸線を越えた位置に向き合ったはめ込み孔(16)を形成し、リターンスプリング(17)を向き合ってはめ込めるようになっており、クランプ(10)が2個のクランプホルダ(11)のピボット接続軸線下方で自然に合わさる状態を形成し、かつ使用者が2個のクランプカバー（11)上段部を押さえた後、下段部を開くことができ、かつ手を放した後、2個のクランプカバー(11)下段部を再度自動的に合わせることができる。
【００１３】
一方ランプホルダ(20)は2個の向き合ってふたをすることができるシェルカバー(21)から構成され、2個のシェルカバー(21)は一端の内側に共同で差し込み孔を構成することができるへこみ状のはめ込みスロット(22)を形成し、当該2個のはめ込みスロット(22)は前記電源プラグ(40)を入れることができるようになっている。さらに2個のシェルカバー(21)両側壁縁には共同で同軸のピボットブロック(23)をはめ込むことができ、それぞれ1個のピボット軸(24)を利用して前記クランプカバー(11)のピボット軸差込み部(14)から対応するピボットブロック(23)を向き合って差し込めるようになっており、ランプホルダ(20)をクランプ（10）のホルダ（12）内にピボット設置できるようにしている。かつ、そのうち各ピボット軸(24)の一端には軸線を延ばしたスリット(240)、および外向きに拡張したエッジ(241)が形成され、ピボット軸(24)がうまくピボット軸差込み部(14)とピボットブロック(23)上に突き通せるようになっている。またランプホルダ（20）の2個のシェルカバー(21)ははめ込みスロット（22）と異なる側の端部に回路ウェーハ(25)を利用して1個または複数個の発光コンポーネント(26)を設置している。低エネルギー消費の効果を達するために、本考案の発光コンポーネント（26）は発光ダイオード（LED）から選ばれ、さらにそのうち1個のシェルカバー(21)は発光コンポーネント(26)に対応する箇所にスルーホールを形成しランプシェード(27)をはめ込めるようになっており、それによって均等に光る効果を達成する。かつ当該シェルカバー(21)内面はともに他方のシェルカバー(21)と向き合ってシャフトロッド(28)を突き出しており、当該シャフトロッド(28)はコード巻き取りユニット(30)をピボット設置できるようになっている。
【００１４】
前記コード巻き取りユニット(30)については、さらに図4、5を組み合わせて参照されたい。1個の前記シャフトロッド（28）にピボット設置することができるドラム(31)を含み、当該ドラム(31)周縁に位置限定用ラッチ（32）が形成されており、かつドラム（31)は前記電源プラグ（40）の導線(45)を巻き取ることができる。さらにドラム（31）内には渦巻きスプリング（33）が設置され、当該渦巻きスプリング（33）両端はそれぞれドラム(31)とシャフトロッド（28）上にはめ込まれ、ドラム（31）と連動して自動的に導線（45）を巻き取ることができるようになっている。またシャフトロッド（28）上にはドラム（31)のラッチ(32)と向き合ってはめ込むことができるストッパ(34)を設置し、かつコード巻き取りユニット（30）はランプホルダ（20）のシェルカバー(21)を突き抜けることができる押さえブロック（38）を有し、当該押さえブロック（38）はストッパ（34）を作動し、かつ復位させることができる弾性コンポーネント（39）を有し、当該押さえブロック(38)を押し動かし、弾性コンポーネント（39）によってストッパ（34）とドラム(31)を分離する際に用いられ、ドラム（31）は渦巻きスプリング(33)の回復力作用を受けて導線(45)を巻き取ることができる（図6、7参照）。これに反して当該押さえブロック（38）を放した場合、ストッパ（34）は再度ドラム（31）を復位固定しそれによって前記導線(45)の巻取りを停止することができる（図6、7参照）。
【００１５】
電源プラグ（40）の導線（45）については一端がランプホルダ（20）の回路ウェーハ(25)に接続され、それによって発光コンポーネント（26）に電源を提供し、かつ当該電源プラグ（40）は典型的なUSBプラグから選ばれ、電子設備に設置されたUSBジャックによって電源を提供することができるようになっており、それによって本考案はさまざまな設備上に応用することができ、かつ当該設備の移動位置にあわせて、さらに安定した照明を提供し、巻き取りに便利で、携行しやすい照明機能を備えたクリップ構造を構成する。
【００１６】
また本考案の実際の運用に関しては、図1、4〜8が示すとおりである。本考案のクリップ構造は図書、楽譜スタンドまたは液晶ディスプレイなどの周囲を挟んで対応するUSBジャックを備えた設備上に用いられ、ランプホルダ（20）をクランプ(10)に向き合ってピボット回転して適当な角度に調節し、続いて手指でクランプ(10)の2個のクランプカバー（11）上段部を押さえて、クランプカバー(11)のアーム(13)下段部が開き挟まれるものの辺縁にかぶさるようにし、使用者がクランプカバー(11)を放した場合、2個のクランプカバー（11）がリターンスプリング(17)の作用を受けて自動的に合わさり、アーム(13)内縁の軟質ライニング(15)を利用して抜け落ち防止と保護効果を達成し、はさまれているものの表面が傷つくのを防ぐことができる。
【００１７】
続いて使用者は電源プラグ(40)を引き出し、それに接続されている導線(45)を引き出し、コード巻き取りユニット(30)のドラム(31)に渦巻きスプリング(33)によって回復のためのプレストレスを生じさせ、かつドラム（31）がストッパ（34）によって位置限定され、それによって導線(45)が適当な長さに位置決めされることができ、さらに電源プラグ（40）を利用して向き合った電源コンセント上に差し込まれ、このようにしてランプホルダ（20）内の発光コンポーネント(26)が光線を発し、使用者が読書に必要な安定した照明を提供することができる。
【００１８】
また使用後は、電源プラグ(40)を当該電源コンセントから抜き取り、コード巻き取りユニット(30)のランプホルダ（20）を突き抜けている押さえブロック（38）を押さえる必要があるだけで、このようにしてストッパ（34）がコード巻き取りユニット（30）のドラム(31)を放すようにさせ、ドラム(31)に前記渦巻きスプリング(33)の回復のためのプレストレスによって導線(45)を自動的に巻き取らせることができる。さらに電源プラグ(40)をランプホルダ(20)のはめ込みスロット(22)内に差込み、最後にランプホルダ(20)をクランプ(10)のホルダ(12)内に戻し、スペースを取らないクリップ構造外観を回復し、巻き取りやすく、携行に便利であるという目的を達し、かつ組立移動することができ、使用の便利さを向上することができ、使用者の視力を保護する作用も提供し、相当な経済効果をもたせることができる。
【００１９】
これによって、本考案がきわめてすぐれた創意を有する考案であるということが理解できる。慣用のものが直面している問題を効果的に解決するだけでなく、さらに効果を大幅に増進させ、かつ同様の技術分野において同様または類似の製品考案または公開使用が今までになく、同時に効果の増進があるので、本考案はすでに新規性及び進歩性に関する実用新案登録要件に合致し、法に基づいて出願を行うものである。
【図面の簡単な説明】
【００２０】
【図１】本考案のクリップ構造の立体外観略図である。
【図２】本考案各モジュールの態様を示すクリップ構造の立体分解略図である。
【図３】全体構成の状態およびその対応関係を説明する本考案のクリップ構造の局部構成分解略図である。
【図４】本考案のクリップ構造の横断面略図である。
【図５】本考案のクリップ構造の縦断面略図である。
【図６】本考案のクリップ構造を実際に使用したときの横断面動作略図である。
【図７】本考案のクリップ構造を実際に使用したときの縦断面動作略図である。
【図８】本考案のクリップ構造をノートブック型コンピュータに使用した参考略図である。
【符号の説明】
【００２１】
(10)  クランプ                                           
(11)  クランプカバー
(12)  ホルダ                                               
(13)  アーム
(14)  ピボット軸差し込み部                   
(15)  ライニング
(16)  はめ込み孔                                       
(17)  リターンスプリング
(20)  ランプホルダ                                   
(21)  シェルカバー
(22)  はめ込みスロット                           
(23)  ピボットブロック
(24)  ピボット軸                                       
(25)  回路ウェーハ
(26)  発光コンポーネント                       
(27)  ランプシェード
(28)  シャフトロッド                               
(30)  コード巻取りユニット
(31)  ドラム                                               
(32)  ラッチ
(33)  渦巻きスプリング                           
(34)  ストッパ
(38)  押さえブロック                               
(39)  弾性コンポーネント
(40)  電源プラグ                                       
(45)  導線
(240)  スリット
(241)  エッジ   
【図１】
0003139156.tif 000003
【図２】
0003139156.tif 000004
【図３】
0003139156.tif 000005
【図４】
0003139156.tif 000006
【図５】
0003139156.tif 000007
【図６】
0003139156.tif 000008
【図７】
0003139156.tif 000009
【図８】
0003139156.tif 000010